(57)【要約】【課題】戸体が取り付けられる枠体に宅配ボックスが固定される建具において、宅配ボックスを枠体に固定する際の作業性が高い構成を提供すること。【解決手段】建具１は、縦枠３１，３２、横枠３３，３４及び方立３５を有する枠体３０と、枠体３０の内側で方立３５の左右一側に配置される戸体２０と、枠体３０の内側で方立３５の左右他側に配置され、開口部１０１を有する袖部１０と、開口部１０１に配置され、枠体３０に固定される宅配ボックス６０と、を備える。宅配ボックス６０は、投入口６０１が室外側に形成されるとともに枠体３０より見込方向室内側に延出する箱状の本体部６１と、枠体３０の室外側に本体部６１とは別に固定され、投入口６０１を閉鎖する扉部６２と、を有する。【選択図】図６
2019137997.tif 000002
【特許請求の範囲】
【請求項１】
縦枠、横枠及び方立を有する枠体と、
前記枠体の内側で前記方立の左右一側に配置される戸体と、
前記枠体の内側で前記方立の左右他側に配置され、開口部を有する袖部と、
前記開口部に配置され、前記枠体に固定される宅配ボックスと、
を備え、
前記宅配ボックスは、
投入口が室外側に形成されるとともに前記枠体より見込方向室内側に延出する箱状の本体部と、
前記枠体の室外側に前記本体部とは別に固定され、前記投入口を閉鎖する扉部と、を有する建具。
【請求項２】
前記本体部の前記枠体に固定される部位よりも室外側に位置する断熱材を更に備える請求項１に記載の建具。
【請求項３】
前記枠体は、
見込方向室外側に位置する室外側部材と、
見込方向室内側に位置する室内側部材と、を有し、
前記室外側部材と前記室内側部材が前記断熱材を介して連結されており、
前記本体部は、前記室内側部材に固定される請求項２に記載の建具。
【発明の詳細な説明】
【技術分野】
【０００１】
本発明は、宅配ボックスを備える建具に関する。
【背景技術】
【０００２】
従来、不在時に宅配物を受け取るための宅配ボックスにおいて、玄関ドアの袖部に配置される建具と一体型のものが知られている。この種の建具を記載するものとして例えば特許文献１がある。特許文献１には、玄関ドア枠内における袖面に郵便物投入口に加えて配達物投入扉を設けた建具について記載されている。
【先行技術文献】
【特許文献】
【０００３】
【特許文献１】実全昭６１−０９４１７４号公報
【発明の概要】
【発明が解決しようとする課題】
【０００４】
特許文献１に記載されるような宅配ボックスが玄関ドアの枠体に固定される構成では、宅配ボックスを枠体に固定する際に、宅配物を収容する本体部を支えながら固定する作業を行う必要がある。宅配ボックスを枠体に固定する際の作業性の向上という点で改善の余地があった。
【０００５】
本発明は、戸体が取り付けられる枠体に宅配ボックスが固定される建具において、宅配ボックスを枠体に固定する際の作業性が高い構成を提供することを目的とする。
【課題を解決するための手段】
【０００６】
本発明は、縦枠（例えば、後述の縦枠３１，３２）、横枠（例えば、後述の横枠３３，３４）及び方立（例えば、後述の方立３５）を有する枠体（例えば、後述の枠体３０）と、前記枠体の内側で前記方立の左右一側に配置される戸体（例えば、後述の戸体２０）と、前記枠体の内側で前記方立の左右他側に配置され、開口部（例えば、後述の開口部１０１）を有する袖部（例えば、後述の袖部１０）と、前記開口部に配置され、前記枠体に固定される宅配ボックス（例えば、後述の宅配ボックス６０）と、を備え、前記宅配ボックスは、投入口（例えば、後述の投入口６０１）が室外側に形成されるとともに前記枠体より見込方向室内側に延出する箱状の本体部（例えば、後述の本体部６１）と、前記枠体の室外側に前記本体部とは別に固定され、前記投入口を閉鎖する扉部（例えば、後述の扉部６２）と、を有する建具（例えば、後述の建具１）に関する。
【０００７】
前記本体部の前記枠体に固定される部位よりも室外側に位置する断熱材（例えば、後述のブリッジ材４１５，４１６，４４５，４４６，４５５，４５６，４６５，４６６）を更に備えることが好ましい。
【０００８】
前記枠体は、見込方向室外側に位置する室外側部材（例えば、後述の室外側金属部材４１１，４５１，４６１）と、見込方向室内側に位置する室内側部材（例えば、後述の室内側金属部材４１２，４５２，４６２）と、を有し、前記室外側部材と前記室内側部材が前記断熱材を介して連結されており、前記本体部は、前記室内側部材に固定されることが好ましい。
【発明の効果】
【０００９】
本発明によれば、戸体が取り付けられる枠体に宅配ボックスが固定される建具において、宅配ボックスを枠体に固定する際の作業性が高い構成を実現できる。
【図面の簡単な説明】
【００１０】
【図１】本発明の一実施形態に係る建具を室外側から見た図である。
【図２】本実施形態の建具における戸体が納まる部分の縦断面図である。
【図３】本実施形態の建具における袖部の縦断面図である。
【図４】本実施形態の建具の横断面図である。
【図５】本実施形態の宅配ボックスを枠体に固定する様子を模式的に示す拡大縦断面図である。
【図６】本実施形態の宅配ボックスを枠体に固定する様子を模式的に示す拡大横断面図である。
【図７】本実施形態の宅配ボックスの本体部に固定される上面取付プレート及び側面取付プレートを示す斜視図である。
【発明を実施するための形態】
【００１１】
以下、本発明の好ましい実施形態について、図面を参照しながら説明する。図１は、本実施形態に係る建具１の正面図である。図２は、本実施形態の建具１における戸体２０が納まる部分の縦断面図である。図３は、建具１における袖部１０の縦断面図である。図４は、本実施形態の建具１の横断面図である。
【００１２】
図１〜図４に示す建具１は、枠体３０と、戸体２０と、袖部１０と、を備える玄関ドアである。
【００１３】
枠体３０は、建具１の四周を構成するともに、戸体２０と袖部１０の間を仕切るものである。枠体３０は、一対の縦枠３１、３２と、一対の横枠３３、３４と、方立３５と、無目３６と、を備える。
【００１４】
一対の縦枠３１、３２は、建具の左右方向における一方と他方の端部に配置される。一方の縦枠３１は、袖部１０の側方に、他方の縦枠３２は、戸体２０の側方に配置される。一対の横枠３３、３４は、建具の上下に配置される。一対の縦枠３１、３２及び一対の横枠３３、３４が建具１の四周を形成する。
【００１５】
方立３５は、枠体３０の内側を左右一側と左右他側に区画する。方立３５によって区画された左右一側に戸体２０が配置され、左右他側に袖部１０が配置される。無目３６は、縦枠３１と方立３５の間に配置される。無目３６によって袖部１０が上下に区画される。
【００１６】
戸体２０は、枠体３０に対して開閉可能に取り付けられており、建具１の出入口を構成する。本実施形態の戸体２０は、縦枠３２に複数のヒンジ３２０を介して回転可能に支持される。
【００１７】
袖部１０は、その上部に採光パネル１２が配置され、下部に宅配ボックス６０が配置される開口部１０１を有する。
【００１８】
採光パネル１２は、光を透過する部材によって構成される。本実施形態の採光パネル１２は、室外側パネル１２ａと室内側パネル１２ｂがスペーサー１２ｃを介して離間するように配置される複層ガラス（ガラス面材）である。
【００１９】
本実施形態の枠体３０が備える縦枠３１、３２、横枠３３、方立３５及び無目３６は、何れも断熱構造を有する。次に、枠体３０の断熱構造について説明する。
【００２０】
横枠３３は、アルミ等の金属製の室外側金属部材４３１及び室内側金属部材４３２と、樹脂製の断熱材であるブリッジ材４３３，４３４と、を備える上枠である。室外側金属部材４３１と室内側金属部材４３２は、ブリッジ材４３３，４３４によって連結されている。
【００２１】
室内側金属部材４３２の下面には、見付面を有する延出片４３５が形成される。図２に示すように、戸体２０側の延出片４３５には、閉鎖位置の戸体２０に接触するクッション材４３９が嵌合固定される。
【００２２】
図３に示すように、袖部１０側の延出片４３５には金属製の第１上側保持部材３３１が配置される。第１上側保持部材３３１の室外側には樹脂製の断熱材であるブリッジ材４３７，４３８を介して金属製の第２上側保持部材４３６が配置される。
【００２３】
第１上側保持部材３３１と第２上側保持部材４３６により、採光パネル１２の上部が差し込まれるガラス溝が形成される。第２上側保持部材４３６の下部には室外側気密材３３２が配置されるとともに、第１上側保持部材３３１の下部には室内側気密材３３３が配置される。採光パネル１２は、その上部が見込方向で室外側気密材３３２と室内側気密材３３３に挟み込まれた状態で保持される。
【００２４】
横枠３４は、アルミ等の金属製で構成されており、見込方向室内側は一段高くなっている。図２に示すように、戸体２０側の横枠３４における段差部分の見付面にはクッション材４４９が嵌合固定される。
【００２５】
図３に示すように、袖部１０側の横枠３４の上面には第１下側保持部材４４１と第２下側保持部材４４２が配置される。第１下側保持部材４４１及び第２下側保持部材４４２は、何れも金属部材であり、樹脂製のブリッジ材４４５，４４６を介して見込方向で連結されている。第１下側保持部材４４１の室外側の上部には、宅配ボックス６０との隙間を埋める室外側気密材３４５が配置される。
【００２６】
無目３６は、アルミ等の金属製の室外側金属部材４６１及び室内側金属部材４６２と、樹脂製の断熱材であるブリッジ材４６５，４６６と、を備える。ブリッジ材４６５，４６６は、室外側金属部材４６１と室内側金属部材４６２の間で上下方向に並んでおり、ブリッジ材４６５，４６６を介して室外側金属部材４６１と室内側金属部材４６２が見込方向で連結される。
【００２７】
室外側金属部材４６１の上側の見込面（上面）には、上方に延びた後、見込方向室内側に屈曲する延出片４６７が形成される。延出片４６７の先端には室外側気密材３６２が配置される。室内側金属部材４６２の上側の見込面（上面）には、上方に延びた後、見込方向室外側に屈曲する延出片４６８が形成される。延出片４６８の先端には室内側気密材３６３が配置される。室外側金属部材４６１の延出片４６７と室内側金属部材４６２の延出片４６８により、採光パネル１２の下部が差し込まれるガラス溝が形成され、該ガラス溝の内側には採光パネル１２を下から支持するセッティングブロック３６４が配置される。採光パネル１２は、その下部が見込方向で室外側気密材３６２と室内側気密材３６３に挟み込まれた状態で保持される。
【００２８】
また、室外側金属部材４６１の下側の見込面（下面）には、下方に延びた後、見込方向室内側に屈曲する扉側保持片３６５が形成される。扉側保持片３６５の先端には室外側気密材３６７が固定される。また、室内側金属部材４６２の下部には下方に延びる本体側保持片３６６が形成される。この本体側保持片３６６は、宅配ボックス６０の本体部６１を固定する固定面（部位）となる。
【００２９】
採光パネル１２は、左右方向一側の側部が方立３５の上側によって保持されるとともに、左右方向他側の側部が縦枠３１の上側によって保持される。また、宅配ボックス６０の左右方向一側の側面が方立３５の下側によって保持されるとともに、左右方向他側の側面が縦枠３１の下側によって保持される。
【００３０】
図４に示すように、方立３５は、アルミ等の金属製の室外側金属部材４５１及び室内側金属部材４５２と、樹脂製の断熱材であるブリッジ材４５５，４５６と、を備える。ブリッジ材４５５，４５６は、室外側金属部材４５１と室内側金属部材４５２の間で左右方向に並んでおり、ブリッジ材４５５，４５６を介して室外側金属部材４５１と室内側金属部材４５２が見込方向で連結される。
【００３１】
室内側金属部材４５２における戸体２０側の見込面には縦枠３２側に延出する延出片３６８が形成され、この延出片３６８には閉鎖位置の戸体２０に接触するクッション材３６９が固定される。また、室内側金属部材４５２における袖部１０側の見込面には縦枠３１側に延出する本体側保持片３５２が形成され、この本体側保持片３５２は宅配ボックス６０の本体部６１を固定する固定面（部位）となる。
【００３２】
室外側金属部材４５１における袖部１０側の見込面には、扉側保持片３５１及び係合片３５７が形成される。扉側保持片３５１は、見込方向室外側に位置し、係合片３５７は見込方向で扉側保持片３５１よりも室内側に位置する。
【００３３】
扉側保持片３５１は、室外側金属部材４５１の袖部１０側の見込面から左右方向で縦枠３１側に延出した後、見込方向室外側に屈曲している。扉側保持片３５１の先端には室外側気密材３５４が配置される。係合片３５７は、袖部１０の上部では採光パネル１２を保持するための嵌合部材（図示省略）の固定に用いられる片である。嵌合部材は、本体側保持片３５２とともにガラス溝を形成する部材である。
【００３４】
縦枠３１は、アルミ等の金属製の室外側金属部材４１１及び室内側金属部材４１２と、樹脂製の断熱材であるブリッジ材４１５，４１６と、を備える。室外側金属部材４１１と室内側金属部材４１２は、ブリッジ材４１５，４１６によって連結されている。
【００３５】
室内側金属部材４１２における宅配ボックス６０側の見込面には方立３５側に延出する本体側保持片３１２が形成され、この本体側保持片３１２は宅配ボックス６０の本体部６１を固定する固定面（部位）となる。
【００３６】
室外側金属部材４１１における袖部１０側の見込面には、扉側保持片３１１及び係合片３１７が形成される。扉側保持片３１１は、見込方向室外側に位置し、係合片３１７は見込方向で扉側保持片３１１よりも室内側に位置する。
【００３７】
扉側保持片３１１は、室外側金属部材４１１の袖部１０側の見込面から左右方向で方立３５側に延出した後、見込方向室外側に屈曲している。扉側保持片３１１の先端には室外側気密材３１４が配置される。係合片３１７は、袖部１０の上部では採光パネル１２を保持するための嵌合部材（図示省略）の固定に用いられる片である。嵌合部材は、本体側保持片３１２とともにガラス溝を形成する部材である。
【００３８】
縦枠３２は、アルミ等の金属製の室外側金属部材４２１及び室内側金属部材４２２と、樹脂製の断熱材であるブリッジ材４２５，４２６と、を備える。室外側金属部材４２１と室内側金属部材４２２は、左右方向に並ぶブリッジ材４２５，４２６によって見込方向で連結されている。
【００３９】
本実施形態では、室外側金属部材４２１の見込面にヒンジ３２０が固定される。また、室内側金属部材４２２の見込面には保持片３２２が形成される。保持片３２２は、閉鎖位置の戸体２０の吊元側に見込方向で当接するクッション材３２１を支持する。
【００４０】
室外側気密材３３２，３６２，３５４，３１４，３６７，３４５は、何れも先付ビードであり、ゴム等の弾性変形可能な部材によって構成される。これらの部材が断熱材ということもできる。
【００４１】
宅配ボックス６０は、無目３６を挟んで採光パネル１２の下方に位置する。宅配ボックス６０は、宅配物等を収容可能な空間を有する本体部６１と、本体部６１とは別体の扉部６２と、を主要な構成として備える。
【００４２】
図５は、本実施形態の宅配ボックス６０を枠体３０に固定する様子を模式的に示す拡大縦断面図である。図６は、本実施形態の宅配ボックス６０を枠体３０に固定する様子を模式的に示す拡大横断面図である。図５及び図６に示すように、本体部６１は枠体３０に対して室内側から固定され、扉部６２は枠体３０に対して室外側から固定される。
【００４３】
本体部６１の構成について説明する。本体部６１は、枠体３０に固定された状態で室外側に取出口を兼ねる投入口６０１が形成される箱状の構成である。本実施形態の本体部６１には、上面に配置される上面取付プレート７０と、本体部６１の左右両側の側面にそれぞれ配置される側面取付プレート７１，７２と、が配置される。上面取付プレート７０及び側面取付プレート７１，７２を介して本体部６１は枠体３０に固定される。
【００４４】
図７は、本実施形態の宅配ボックス６０の本体部６１に固定される上面取付プレート７０及び側面取付プレート７１，７２を示す斜視図である。図７に示すように、上面取付プレート７０は、本体部６１の上面に固定される固定面７００と、固定面７００の室外側端部から上方に屈曲する室外側見付面部７０１と、固定面７００の室内側端部から上方に屈曲した後、見込方向室外側に延びて下方に折り返す当接部７０２と、を備える。ネジ等の締結部材７０５が固定面７００を貫通して本体部６１に固定されることで上面取付プレート７０が本体部６１に固定される。
【００４５】
本体部６１が袖部１０に固定されるときは、上面取付プレート７０の室外側見付面部７０１が室外側気密材３６７に見込方向で接触するとともに当接部７０２の室外側の見付面７０３が本体側保持片３６６に対向する状態となる。当接部７０２は、宅配ボックス６０が固定された状態で、その室内側の面が縦枠３１及び方立３５の室内側の面と面一になる形状に構成される。
【００４６】
側面取付プレート７１は、本体部６１の側面に固定される固定面７１０と、固定面７１０の室外側端部から縦枠３１側に屈曲する室外側見付面部７１１と、固定面７１０の室内側端部から縦枠３１側に延出した後、見込方向室外側に延び、更に本体部６１側に折り返す当接部７１２と、を備える（図４参照）。ネジ等の締結部材７０５が固定面７１０を貫通して本体部６１に固定されることで側面取付プレート７１が本体部６１に固定される（図７参照）。
【００４７】
本体部６１が袖部１０に固定されるときは、側面取付プレート７１の室外側見付面部７１１が、縦枠３１の扉側保持片３１１の室外側気密材３１４に見込方向で接触するとともに当接部７１２の室外側の見付面７１３が本体側保持片３１２に対向する状態となる。当接部７１２の室内側面には貫通孔７２５が上下方向に間隔をあけて複数形成されており、これらの貫通孔７２５を通じてリベット等の締結部材７１６が当接部７１２の室外側の見付面を貫通して縦枠３１の本体側保持片３１２に締結される。本実施形態では、本体側保持片３１２の裏側には、金属製のＬ字裏板７５０が配置されており、本体側保持片３１２とともに共締めされる。貫通孔７２５にはカバー部材７３０が配置され、締結部材７１６が室内側からも見えない位置となっている。
【００４８】
側面取付プレート７２は、本体部６１の側面に固定される固定面７２０と、固定面７２０の室外側端部から方立３５側に屈曲する室外側見付面部７２１と、固定面７２０の室内側端部から方立３５側に延出した後、見込方向室外側に延び、更に本体部６１側に折り返す当接部７２２と、を備える。ネジ等の締結部材７０５が固定面７２０を貫通して本体部６１に固定されることで側面取付プレート７２が本体部６１に固定される。
【００４９】
本体部６１が袖部１０に固定されるときは、側面取付プレート７２の室外側見付面部７２１が、方立３５の扉側保持片３５１の室外側気密材３５４に見込方向で接触するとともに当接部７２２の室外側の見付面７２３が本体側保持片３５２に対向する状態となる。当接部７２２の室内側面には貫通孔７２５が上下方向に間隔をあけて複数形成されており、これらの貫通孔７２５を通じてネジ等の締結部材７２６が当接部７２２の室外側の見付面を貫通して方立３５の本体側保持片３５２に締結される。本実施形態では、本体側保持片３５２の裏側には、金属製のＬ字裏板７５０が配置されており、本体側保持片３５２とともに共締めされる。貫通孔７２５にはカバー部材７３０が配置され、締結部材７１６が室内側からも見えない位置となっている。
【００５０】
次に、扉部６２の構成について説明する。扉部６２は、枠部６５２と、枠部６５２に対してヒンジ（図示省略）を介して開閉可能な扉８２１と、を主要な構成として備える。
【００５１】
枠部６５２は、矩形の枠状に形成されており、枠体３０を挟んで本体部６１に見込方向で対向する。枠部６５２は、その開口の内側にフランジ状に形成される取付片８１１を備える。図４に示すように、取付片８１１は、縦枠３１側では当該縦枠３１の扉側保持片３１１に見込方向で対面接触した状態で締結部材８５０が締結される。また、取付片８１１は、方立３５側では当該方立３５の扉側保持片３５１に見込方向で対面接触した状態で締結部材８５０が締結される。同様に、取付片８１１は、無目３６側では扉側保持片３６５に対面した状態で締結部材（図示省略）が締結される。締結部材８５０による枠部６５２の本体部６１の固定作業は、本体部６１とは別に行われる。枠部６５２は、枠体３０を挟んで本体部６１に見込方向で対向した位置で固定される。
【００５２】
枠部６５２の内側の空間は、本体部６１の投入口６０１に連通しており、扉８２１が閉じられることにより、本体部６１の内部が外部から隔てられる。扉部６２の方立３５側に位置する戸先側が手掛け部６２１となっている。
【００５３】
本実施形態の扉部６２には、暗証番号を入力する操作部６２２、ロック機構６２３等の電気部品（機能部品）に加え、電源部６２４等が内蔵される。これにより、例えば電源部６２４を床板の下に設ける等、本体部側に配置する場合と比べて、配線が短くなり、ロック機構６２０とこれを駆動する電源部６２４をコンパクトに配置することができ、施工性が向上する。
【００５４】
以上説明した上記実施形態によれば、以下のような効果を奏する。
建具１は、縦枠３１，３２、横枠３３，３４及び方立３５を有する枠体３０と、枠体３０の内側で方立３５の左右一側に配置される戸体２０と、枠体３０の内側で方立３５の左右他側に配置され、開口部１０１を有する袖部１０と、開口部１０１に配置され、枠体３０に固定される宅配ボックス６０と、を備える。宅配ボックス６０は、投入口６０１が室外側に形成されるとともに枠体３０より見込方向室内側に延出する箱状の本体部６１と、枠体３０の室外側に本体部６１とは別に固定され、投入口６０１を閉鎖する扉部６２と、を有する。
【００５５】
これにより、宅配物が収容する本体部６１については室内側から枠体３０に固定し、投入口６０１を閉鎖する扉部６２については室外側から枠体３０に固定することができ、施工作業の効率化を実現できる。扉部６２と本体部６１のそれぞれを個別に固定できるので、本体部と扉部が一体的な構造に比べ、本体部を支えながら扉部を固定する必要もなくなる。本実施形態のように、扉部６２の見付面積が本体部６１の見付面積より大きい形状の宅配ボックス６０であっても、室内外の両方から容易に締結部材を締結する等の固定作業を行うことができる。
【００５６】
また、本実施形態の建具１は、本体部６１の枠体３０に固定される部位よりも室外側に位置する断熱材としてのブリッジ材４１５，４１６，４４５，４４６，４５５，４５６，４６５，４６６を更に備える。
【００５７】
これにより、ブリッジ材４１５，４１６，４４５，４４６，４５５，４５６，４６５，４６６によって室外から本体部６１への熱移動を遮断できるので、本実施形態のように本体部６１が金属製であっても、宅配ボックス６０によって断熱性が低下する事態の発生を防止することができる。
【００５８】
また、本実施形態では、縦枠３１はブリッジ材（断熱材）４１５，４１６を介して連結される室外側金属部材４１１と室内側金属部材４１２を有し、方立３５はブリッジ材（断熱材）４５５，４５６を介して連結される室外側金属部材４５１と室内側金属部材４５２を有し、無目３６はブリッジ材（断熱材）４６５，４６６を介して連結される室外側金属部材４６１と室内側金属部材４６２を有する。そして、本体部６１は、室内側金属部材４１２，４５２，４６２に固定される。
【００５９】
これにより、ブリッジ材４１５，４１６，４４５，４４６，４５５，４５６，４６５，４６６よりも見込方向室内側に位置する室内側金属部材４１２，４５２，４６２に本体部６１が固定されるので、枠体３０の断熱構造を利用して宅配ボックス６０による断熱性能の低下を効果的に防止できる。
【００６０】
以上、本発明の好ましい実施形態について説明したが、本発明は、上述の実施形態に制限されるものではなく、適宜変更が可能である。
【００６１】
上記実施形態では、扉部６２は、枠部６５２を介して扉８２１が枠体３０に固定される構成であるが、この構成に限定されない。例えば、扉が枠体にヒンジを介して直接支持される構成としてもよい。
【００６２】
上記実施形態の袖部１０は、採光パネル１２を有する固定式であるが、袖部の構成はこの構成に限定されない。例えば、枠体に対して袖部が開閉可能な子扉として構成してもよい。
【符号の説明】
【００６３】
１  建具
１０  袖部
２０  戸体
３０  枠体
３１，３２  縦枠
３３，３４  横枠
３５  方立
６０  宅配ボックス
６１  本体部
６２  扉部
１０１  開口部
４１１，４５１，４６１  室外側金属部材（室外側部材）
４１２，４５２，４６２  室内側金属部材（室内側部材）
４１５，４１６，４４５，４４６，４５５，４５６，４６５，４６６  ブリッジ材（断熱材）
【図１】
2019137997.tif 000003
【図２】
2019137997.tif 000004
【図３】
2019137997.tif 000005
【図４】
2019137997.tif 000006
【図５】
2019137997.tif 000007
【図６】
2019137997.tif 000008
【図７】
2019137997.tif 000009